(57)【要約】【課題】１つのコンテンツに対して２つ以上の限定受信を混在させる方式として、サイマルクリプトという方式が知られている。しかし従来の方法では、放送事業者による視聴制御を受けている利用者へのサービス提供を継続しながらＣＡＴＶ局が利用者へ独自の視聴制御を行うためには、パススルー方式と再多重方式の放送信号を別々に送信する必要があり、放送信号の伝送容量が２倍必要であった。【解決手段】本発明は放送事業者の生成した放送信号に、ＣＡＴＶ局が独自に視聴制御を行うための第二のＥＣＭを付与し、サイマルクリプト放送信号を生成する。具体的には、放送事業者から送られてきた放送信号からＣＡＴＶ局で第一のＥＣＭを分離し、分離した第一のＥＣＭはＩＣカードの復号部にてスクランブル鍵を取り出し、それを用いてＥＣＭ生成部にて第二のＥＣＭを生成して多重部に送り、放送信号に多重して放送信号を生成する。【選択図】図１
2013058949.tif 000002
【特許請求の範囲】
【請求項１】
放送事業者からの放送信号に視聴制限をかける受信装置であって、
分離部と、ＥＣＭ生成部と、遅延部と、多重部と、を備え、
前記分離部は、放送事業者からの放送信号を受信し、当該受信した放送信号に含まれるスクランブル鍵を含む第一のＥＣＭを抽出し、当該抽出した第一のＥＣＭを当該受信装置の外部の外部装置に送信し、前記受信した放送信号を前記遅延部に送信し、
前記ＥＣＭ生成部は、前記外部装置から送信される前記第一のＥＣＭから生成されたスクランブル鍵に基き第二のＥＣＭを生成し、当該生成された第二のＥＣＭを前記多重部へ送信し、
前記遅延部は、前記分離部より受信した放送信号を所定の時間蓄積し、所定時間経過後に前記多重部へ送信し、
前記多重部は、前記ＥＣＭ生成部から送信された第二のＥＣＭと、前記遅延部から送信された放送信号と、を多重化し、当該多重化した情報を当該受信装置の外部の端末装置へ送信する、
ことを特徴とする受信装置。
【請求項２】
請求項１に記載の受信装置において、
前記所定の時間は、少なくとも、前記ＥＣＭ生成部の処理時間に応じて予め定められた時間であることを特徴とする受信装置。
【請求項３】
請求項１又は２に記載の受信装置と前記外部装置と、を備えた受信システムであって、
前記外部装置は、前記受信装置から受信した第一のＥＣＭから前記スクランブル鍵を生成し、当該スクランブル鍵を前記ＥＣＭ生成部に送信することを特徴とする受信システム。
【請求項４】
請求項３に記載の受信システムにおいて、
更に端末装置を備え、
前記端末装置は、受信部と、復号部と、デスクランブル部と、を備え、
前記受信部は、前記多重化した情報を受信し、
前記復号部は、前記受信した多重化した情報に含まれる前記第二のＥＣＭから前記端末装置が備える第二の外部装置を用いて当該第二のＥＣＭに対応するスクランブル鍵を生成しデスクランブル部へ送信し、
前記デスクランブル部は、前記送信された第二のＥＣＭに対応するスクランブル鍵に基き前記多重化した情報にデスクランブルをかける、
ことを特徴とする受信システム。
【請求項５】
請求項３又は４に記載の受信システムにおいて、
前記外部装置はICカードであることを特徴とする受信システム。
【請求項６】
放送事業者からの放送信号に視聴制限をかける受信方法であって、
放送事業者からの放送信号を受信するステップと、
前記受信した放送信号に含まれるスクランブル鍵を含む第一のＥＣＭを抽出するステップと、
前記抽出した第一のＥＣＭを外部装置に送信し、前記受信した放送信号を前記遅延部に送信するステップと、
前記外部装置から送信される前記第一のＥＣＭから生成されたスクランブル鍵に基き第二のＥＣＭを生成するステップと、
前記生成された第二のＥＣＭを前記多重部へ送信するステップと、
前記遅延部が、受信した放送信号を所定の時間蓄積し、所定時間経過後に前記多重部へ送信するステップと、
前記多重部が、前記送信された第二のＥＣＭと、前記遅延部から送信された放送信号と、を多重化するステップと、
多重化した情報を、当該多重化した情報を受信する端末装置へ送信するステップと、
を備えることを特徴とする受信方法。
【請求項７】
請求項６に記載の受信方法において、
前記所定の時間は、少なくとも、前記第一のＥＣＭを生成するステップの処理時間に応じて予め定められた時間であることを特徴とする受信方法。
【請求項８】
請求項６又は７に記載の受信方法において、
前記外部装置は、前記受信した第一のＥＣＭから前記スクランブル鍵を生成し、当該スクランブル鍵を前記ＥＣＭ生成部に送信することを特徴とする受信方法。
【請求項９】
請求項８に記載の受信方法において、
前記多重化した情報を端末装置へ送信するステップの後に、
前記端末装置にて前記送信された、多重化した情報を受信するステップと、
前記受信した多重化した情報に含まれる前記第二のＥＣＭから第二のICカードを用いて当該第二のＥＣＭに対応するスクランブル鍵を生成するステップと、
前記生成したスクランブル鍵を用いて前記多重化した情報にデスクランブルをかけるステップと、
を備えることを特徴とする受信方法。
【請求項１０】
請求項６乃至９の何れか一項に記載の受信方法において、
前記外部装置はICカードであることを特徴とする受信方法。
【発明の詳細な説明】
【技術分野】
【０００１】
本発明は有料放送などにおいて受信者を特定して受信許可する限定受信方式に関わり、特にケーブルテレビ（以下、ＣＡＴＶという）局における限定受信システムに関するものである。
【背景技術】
【０００２】
従来、ＣＡＴＶ局が放送センタなどから送出されるスクランブルされた放送信号を受信端末装置に再送信する方式として、パススルー方式と再多重方式との２つが知られている。
パススルー方式をでは、ＣＡＴＶ局でコンテンツのデスクランブル、再スクランブルを行わずに、番組配列情報の一部を変更するのみで放送信号を再送信する。この方式では、限定受信の管理は、すべて放送事業者で行われる。一方、再多重方式では、ＣＡＴＶ局が、受信したストリームを一旦デスクランブルした後、独自の限定受信情報を付加すると同時に、コンテンツを再スクランブルしてＣＡＴＶ端末装置に送出する。
例えば特開２００１−１４５０７５では、ＣＡＴＶ局ではパススルー方式を採る中継装置が、放送事業者の限定受信機能を利用して、管轄する受信端末装置を管理し、端末装置の視聴制限を行うことができる」とあり、ＣＡＴＶ局における視聴制御方法は一般に広く知られている。
【０００３】
また、１つのコンテンツに対して２つ以上の限定受信を混在させる方式として、サイマルクリプトという方式が知られている。
【先行技術文献】
【特許文献】
【０００４】
【特許文献１】特開２００１−１４５０７５号公報
【発明の概要】
【発明が解決しようとする課題】
【０００５】
しかし従来の方法では、放送事業者による視聴制御を受けている利用者へのサービス提供を継続しながらＣＡＴＶ局が利用者へ独自の視聴制御を行うためには、パススルー方式と再多重方式の放送信号を別々に送信する必要があり、放送信号の伝送容量が２倍必要であった。
【課題を解決するための手段】
【０００６】
本発明の目的は、上記課題の解決のために為されるものであって、放送事業者の生成した放送信号に、ＣＡＴＶ局が独自に視聴制御を行うための第二のＥＣＭを付与し、サイマルクリプト放送信号を生成するものである。
【０００７】
そこで本発明では、放送事業者の局設備から送られてきた放送信号からＣＡＴＶ局限定受信装置の分離部にて第一のＥＣＭを分離し、分離した第一のＥＣＭはＩＣカードの復号部にてスクランブル鍵Ｋｓを取り出し、スクランブル鍵Ｋｓを用いてＥＣＭ生成部にて第二のＥＣＭを生成して多重部に送られ、放送信号に多重してサイマルクリプト放送信号を生成する。このうような手法により限定受信を実現する。
【発明の効果】
【０００８】
本発明によれば、放送事業者と契約している利用者に対する視聴制御と、ＣＡＴＶ局と契約した利用者に対する視聴制御を両立でき、かつ放送信号の伝送量を増加させることなくサービスを提供することが可能となる。
【図面の簡単な説明】
【０００９】
【図１】本発明の一実施の形態におけるＣＡＴＶ局限定受信システム構成を説明する図である。
【図２】本発明の一実施の形態におけるＣＡＴＶ局の限定受信システムのＥＣＭ／ＥＭＭ生成処理を説明するフローチャートである。
【図３】本発明の一実施の形態におけるＣＡＴＶ局の限定受信システムのＰＭＴ／ＣＡＴ更新処理を説明するフローチャートである。
【図４】本発明の一実施の形態におけるＣＡＴＶ局の限定受信システムのタイミング制御処理を説明するフローチャートである。
【図５】本発明の一実施の形態におけるＰＭＴ（プログラムマップテーブル）の例である。
【図６】本発明の一実施の形態におけるＣＡＴ（コンディショナルアクセステーブル）の例である。
【発明を実施するための形態】
【実施例１】
【００１０】
以下、図面を用いて本発明に関する実施の形態を説明する。
【００１１】
図１は本発明の実施の形態におけるＣＡＴＶ局限定受信システムの構成例である。
【００１２】
本実施例では、主要な機能部のみを示しており、本構成要素に図示しない加入者管理装置や視聴情報収集装置、または端末装置内部のＩＣカードを用いた番組を視聴するための限定受信方式については本発明とは直接関係がないため説明を割愛する。
【００１３】
ＣＡＴＶ局限定受信装置１は分離部１１と遅延回路１２とＰＭＴ／ＣＡＴ更新部１３とＥＣＭ生成部１４と多重部１５とＥＭＭ生成部１６を有する装置である。
【００１４】
分離部１１は放送事業者から受信した放送信号をそのまま遅延回路１２に送信する。ここで、放送信号は、放送事業者から得た限定受信方式のマスタ鍵Ｋｍで暗号化されたワーク鍵Ｋｗの情報を含むＥＭＭ（個別情報）とスクランブル鍵Ｋｓでスクランブル（暗号化）された映像や音声データ（コンテンツ情報）とワーク鍵Ｋｗで暗号化されたスクランブル鍵Ｋｓを含むＥＣＭ（共通情報）が多重化されている。また、分離部１１は、遅延回路への放送信号の送信とは別に、放送信号に含まれる様々な情報を分離する。具体的には、放送信号から番組を構成するＴＳパケットのパケットＩＤをキーとして共通情報を伝送するＴＳパケットのパケットＩＤとの関連する情報が記述された第一のＰＭＴ（プログラムマップテーブル)および契約情報を伝送するＴＳパケットのパケットＩＤとの関連する情報が記述された第一のＣＡＴ（コンディショナルアクセステーブル）を分離し、ＰＭＴ／ＣＡＴ更新部に送信する。また、分離部１１は放送信号から番組を構成するＴＳパケットのパケットＩＤをキーとして共通情報が記述された第一のＥＣＭを分離し、ＩＣカード２に送信する。
【００１５】
ここで、上記で説明した各部はモジュール化したハードウエアで実装しても良いし、CPU等の処理装置（処理部）を用いてソフトウエアで実現しても良い。
【００１６】
ＩＣカード２は復号部２１を有する装置である。復号部２１は受信した第一のＥＣＭをもとにスクランブル鍵Ｋｓを取り出し、ＥＣＭ生成部１４に送信する。
【００１７】
ＥＣＭ生成部１４は受信したＫｓをもとに第二のＥＣＭを生成し多重部１５に送信する。
【００１８】
遅延回路１２はＰＭＴ／ＣＡＴ更新部１３の処理およびＩＣカード２、ＥＣＭ生成部１４の処理と同期をとるため、あらかじめ遅延回路１２内部に設定した遅延時間に基づいて、放送信号を蓄積、待機させた後、遅延させ多重部１５に送信する。
【００１９】
ＰＭＴ／ＣＡＴ更新部１３は受信した第一のＰＭＴ（プログラムマップテール）と第一のＣＡＴ（コンディショナルアクセステーブル）を、第二のＥＣＭのパケットＩＤと第二のＥＭＭのパケットＩＤを追加して第二のＰＭＴ（プログラムマップテール）と第二のＣＡＴ（コンディショナルアクセステーブル）に更新して多重部１５に送信する。
【００２０】
ＥＭＭ生成部１６はマスタ鍵Ｋｍで暗号化されたワーク鍵Ｋｗの情報を含む第二のＥＭＭを生成し多重部１５に送信する。
【００２１】
多重部１５は第二のＥＣＭと、遅延回路から受信した放送信号と第二のＰＭＴ（プログラムマップテール）および第二のＣＡＴ（コンディショナルアクセステーブル）と第二のＥＭＭを多重化してサイマルクリプト放送信号を生成し、ＣＡＴＶ網３に送信する。
【００２２】
端末装置４は、デスクランブル部４１と、ＩＣカード４２で構成する。端末装置４は、ＣＡＴＶ網３からサイマルクリプト放送信号を受信すると、ＩＣカードから渡される識別番号ＣＡ＿ｓｙｓｔｅｍ＿ｉｄに応じて、第一または第二のＥＣＭを取り出してＩＣカード４２に渡す。ＩＣカード４２は自己が有する第一または第二のＥＣＭに対応する復号部を用いて、受信したＥＣＭからスクランブル鍵Ｋｓを取り出してデスクランブル部４１にスクランブル鍵Ｋｓを設定する（本実施例では、特にこのICカードは第二のＥＣＭに対応する復号部を備えていることを想定する。）。デスクランブル部４１はサイマルクリプト放送信号をデスクランブルして映像、音声を生成する。
【００２３】
図２は、本実例におけるＣＡＴＶ局の限定受信システムのＥＣＭ／ＥＭＭ生成処理フローの例である。
【００２４】
分離部１１は、まず放送事業者から受信したままの放送信号から第一のＥＣＭを抽出する（ステップＳ１１１）。
【００２５】
次に分離部１１は抽出した第一のＥＣＭをＩＣカード２に送信する（ステップＳ１１２）。
【００２６】
ＩＣカード２の復号部２１は第一のＥＣＭからスクランブル鍵Ｋｓを生成する（ステップＳ１１３）。
【００２７】
復号部２１は生成したスクランブル鍵ＫｓをＥＣＭ生成部１４に送信する（ステップＳ１１４）。
【００２８】
ＥＣＭ生成部１４はスクランブル鍵Ｋｓをもとに第二のＥＣＭを生成する（ステップＳ１１５）。
【００２９】
ＥＣＭ生成部１４は第二のＥＣＭを多重部１５に送信する（ステップＳ１１６）。
【００３０】
ＥＭＭ生成部１６は第二のＥＣＭが多重部１５に送信されたあとマスタ鍵Ｋｍで暗号化されたワーク鍵Ｋｗの情報を含む第二のＥＭＭを生成する（ステップＳ１１７）。
【００３１】
多重部１５は第二のＥＭＭを多重部１５に送信し処理を終了する（ステップＳ１１８）。
【００３２】
図３は、本実例におけるＣＡＴＶ局の限定受信システムのＰＭＴ／ＣＡＴ更新処理フローの例である。
【００３３】
分離部１１は、まず放送事業者から受信したままの放送信号から第一のＰＭＴ（プログラムマップテール）および第一のＣＡＴ（コンディショナルアクセステーブル）を抽出する（ステップＳ１２１）。
【００３４】
次に分離部１１は抽出した第一のＰＭＴ（プログラムマップテール）および第一のＣＡＴ（コンディショナルアクセステーブル）をＰＭＴ／ＣＡＴ更新部１３に送信する（ステップＳ１２２）。
【００３５】
ＰＭＴ／ＣＡＴ更新部１３は第一のＰＭＴ（プログラムマップテール）および第一のＣＡＴ（コンディショナルアクセステーブル）をもとにＥＣＭのパケットＩＤとＥＭＭのパケットＩＤをキーとして第二のＰＭＴ（プログラムマップテール）と第二のＣＡＴ（コンディショナルアクセステーブル）に更新する（ステップＳ１２３）。
【００３６】
ＰＭＴ／ＣＡＴ更新部１３は第二のＰＭＴ（プログラムマップテール）と第二のＣＡＴ（コンディショナルアクセステーブル）を多重部１５に送信し処理を終了する（ステップＳ１２４）。
【００３７】
図４は本実施例におけるＣＡＴＶ局の限定受信システムのタイミング制御処理フローの例である。
【００３８】
分離部１１は、まず放送事業者から受信したままの放送信号を複数の処理フローに一致させるための遅延回路１２に送信する。（ステップＳ１３１）。
【００３９】
遅延回路１２は蓄積した放送事業者から受信した放送信号の経過時間を判断し、あらかじめ遅延回路に設定されている遅延時間（Ｎ秒）を用い、Ｎ秒経過していない場合にはステップＳ１３２へ、Ｎ秒経過した場合には多重部１５に放送信号を送信する。（ステップＳ１３３）。ここで、あらかじめ遅延回路に設定されている遅延時間は復号部２１、ＰＭＴ／ＣＡＴ更新部１３、ＥＣＭ生成部１４、などの処理時間を考慮した時間である。
【００４０】
多重部１５第二のＥＣＭと遅延回路から受信した放送信号と第二のＰＭＴ（プログラムマップテール）および第二のＣＡＴ（コンディショナルアクセステーブル）と第二のＥＭＭを多重化し処理を終了する（ステップＳ１３４）。
【００４１】
図５は本実施例におけるＰＭＴ（プログラムマップテーブル）の例である。ＰＭＴにはＣＡ＿ｓｙｓｔｅｍ＿ｉｄおよびＥＭＭ＿ＰＩＤを記載する。
【００４２】
図６は本実施例におけるＣＡＴ（コンディショナルアクセステーブル）の例である。ＣＡＴにはＣＡ＿ｓｙｓｔｅｍ＿ｉｄおよびＥＣＭ＿ＰＩＤを記載する。
【００４３】
以上によって、放送事業者と契約している利用者に対する視聴制御と、ＣＡＴＶ局と契約した利用者に対する視聴制御を両立でき、かつ放送信号の伝送量を増加させることなくサービスを提供することが可能となる。
【符号の説明】
【００４４】
1：ＣＡＴＶ局限定受信装置、11：分離部、12：遅延回路、13：ＰＭＴ／ＣＡＴ更新部、14：ＥＣＭ生成部、15：多重部、16：ＥＭＭ生成部、2：ＩＣカード、21：復号部、3：ＣＡＴＶ網、4：端末装置、41：デスクランブル部、42：ＩＣカード。
【図１】
2013058949.tif 000003
【図２】
2013058949.tif 000004
【図３】
2013058949.tif 000005
【図４】
2013058949.tif 000006
【図５】
2013058949.tif 000007
【図６】
2013058949.tif 000008